(57)【要約】【課題】  床面を清掃するときの清掃効率が向上すると共に、床面毎に清掃体を取替える必要がない床用吸込具用回転ブラシ体を提供する。【解決手段】  回転ローターに挿入支持される清掃体３ａ、３ｂ及び回転ロータに固定され清掃体３ａ，３ｂの両端を回転ロータに固定する一対の端板を備え、回転ロータは、横長の芯部と、該芯部の外周より等間隔で放射状に延在する複数の支持基台８と、該支持基台８のそれぞれの先端に設けられ、清掃体を支持する複数条の清掃体支持部を有する清掃体支持台と、を備え、清掃体支持台の断面形状は、中央の境界壁９と両側の分岐壁１０を有する略Ｗ字状に形成され、境界壁９と隣接する分岐壁１０の開放端部に各々対向して設けられ、清掃体３ａ，３ｂが挿入支持される一対の挿入溝を備える。【選択図】        図６
2005080888.tif 000002
【特許請求の範囲】
【請求項１】
回転ローターに挿入支持される清掃体及び前記回転ロータに固定され前記清掃体の両端を前記ロータに固定する一対の端板を備え、
前記回転ロータは、
横長の芯部と、
該芯部の外周より等間隔で放射状に延在する複数の支持基台と、
該支持基台のそれぞれの先端に設けられ、前記清掃体を支持する複数条の清掃体支持部を有する清掃体支持台と、
を備えたことを特徴とする床用吸込具用回転ブラシ体。
【請求項２】
清掃体支持部は略Ｕ字状に形成され、その開放端部に対向して設けられ、清掃体が挿入支持される一対の挿入溝を備えたことを特徴とする請求項１記載の床用吸込具用回転ブラシ体。
【請求項３】
清掃体支持台の断面形状は、中央の境界壁と両側の分岐壁を有する略Ｗ字状に形成され、前記境界壁と隣接する分岐壁の開放端部に各々対向して設けられ、清掃体が挿入支持される一対の挿入溝を備えたことを特徴とする請求項１記載の床用吸込具用回転ブラシ体。
【請求項４】
清掃体支持部の境界壁の先端部外周面にガイド溝を形成したことを特徴とする請求項３記載の床用吸込具用回転ブラシ体。
【請求項５】
回転ローターに挿入支持される清掃体及び前記回転ロータに固定され前記清掃体の両端を前記ロータに固定する一対の端板を備え、
前記回転ロータは、
横長の芯部と、
該芯部の外周より等間隔で放射状に延在する複数の支持基台と、
該支持基台のそれぞれの先端に設けられ、前記清掃体が挿入支持される一対の挿入溝を有する断面略Ｕ字状の清掃体支持部を有する清掃体支持台と、
を備え、
前記清掃体は複数条のブラシを備えたことを特徴とする床用吸込具用回転ブラシ体。
【請求項６】
各清掃体支持台の間に、前記清掃体支持台の全長に渡って空間溝を形成したことを特徴とする請求項１〜５のいずれかに記載の床用吸込具用回転ブラシ体。
【請求項７】
清掃体支持台の挿入溝に清掃体が挿入されたとき、分岐壁と前記清掃体との間に隙間を設けたことを特徴とする請求項１〜６のいずれかに記載の床用吸込具用回転ブラシ体。
【請求項８】
回転ロータの略全長に渡り螺旋状に振り加工したことを特徴とする請求項１〜７のいずれかに記載の床用吸込具用回転ブラシ体。
【請求項９】
支持基台を、薄板状に形成したことを特徴とする請求項８のいずれかに記載の床用吸込具用回転ブラシ体。
【請求項１０】
回転ロータの両端部は所定幅間を直線状に形成したことを特徴とする請求項１〜９のいずれかに記載の床用吸込具用回転ブラシ体。
【請求項１１】
端板は、端板本体と、
この端板本体に立設され、支持基台断面と同形状で等角度の放射状の溝を有する接続部と、を備え、
該接続部は、前記角度で折曲げられた条片の長さの長い一対の第１の接続片と、
長さの短い第２の接続片と、
を備え、 
前記第１、第２の接続片を、前記曲げ部の稜線部を各々前記端板本体の中心に向けて配設することにより各々の外側面で前記放射状の溝を形成し、
さらに、第１の接続片の先端の前記溝側に各々係合爪を設けたことを特徴とする請求項１から１０記載の床用吸込具用回転ブラシ体。
【請求項１２】
清掃体はブラシと基布から構成され、前記ブラシの根元は前記基布を貫通してＵ字状に植毛されていることを特徴とする請求項１〜１１のいずれかに記載の床用吸込具用回転ブラシ体。
【請求項１３】
各ブラシの種類は少なくとも２種類としたことを特徴とする請求項１２記載の床用吸込具用回転ブラシ体。
【発明の詳細な説明】
【技術分野】
【０００１】
この発明は電気掃除機で使用される床用吸込具用回転ブラシ体に関する。
【背景技術】
【０００２】
従来の回転ブラシは、ローターを金属製の直条体とし、これの外周に開口する一条ないし複数条の溝をローターの長手方向に真っ直ぐにしてつくり、これを溝が所要のリードをもつ螺旋状になるように捩り加工を行ない、このローターの溝にブレードを取付けさらに、回転軸を一体にしているブラケットをローターの両端に取付けて回転ローターにしている（例えば、特許文献１参照）。
【０００３】
【特許文献１】特開平７−１７８０１６公報（段落００１１〜００１８、図１〜４）
【発明の開示】
【発明が解決しようとする課題】
【０００４】
従来の回転ブラシのブレード（清掃体）は、ローター外周に設けた溝に一つのブレードを挿入固定したものであり、回転ブラシが１回転する毎にブレードが床面に接触する回数が少ないので清掃効率が悪く、また、ブレードは、基布に単繊維を密に毛羽状にしている毛羽を設けたものを使用しているが、各種床面例えばフローリング、畳、絨毯、タイル等に対応できないため、床面毎に清掃体を取替える必要があり面倒であった。
【０００５】
さらに、ブレードの毛は、基布に先端が植毛されているだけで抜け易く、また、基布の溝に挿入する部分が、溝と同一形状で逃げが少なく、溝が螺旋状にねじれているため挿入しにくいという問題があった。
【０００６】
また、毛（ブラシ）の異常屈曲や、隣接した毛の絡み付き等が生じやすいという問題があった。
【０００７】
また、清掃床面には、一般に、比較的長い髪の毛や糸等が塵挨に混じり堆積しており、これらを清掃するのに、回転ブラシ体は回転して清掃床面より除去する。この時、髪の毛や糸等はブラシにより回転ブラシ体に巻きつくことが生じる。この結果ブラシは変形し、塵挨を床面から取り除く効果が減少したり、回転ブラシ体の回転がアンバランスに成り異常等が発生したりする。
この状態を回避するためには、ハサミ等で回転ブラシ体に巻き付いた髪の毛や糸等を切断して除去する必要が生じるが、ブレードの毛を切断したりして除去がしにくいという問題があった。
【０００８】
この発明は、上記の課題を解決するためになされたもので、床面を清掃するときの清掃効率が向上すると共に、床面毎に清掃体を取替える必要がなく、使いやすく、また、清掃体支持台の挿入溝に清掃体がスムースに挿入されると共にブラシの植毛部が磨耗したりしてブラシの毛が抜けるのを防止でき、さらに、ブラシの異常屈曲を防止すると共に、隣接されたブラシの絡み付き等を防止でき、さらにまた、回転ブラシ体に巻きついた髪の毛や糸等を、ハサミやナイフの刃先が左右にぶれないようにしてブラシの毛を切らないようにして切断できる床用吸込具用回転ブラシ体を提供することを目的とする。
【課題を解決するための手段】
【０００９】
この発明に係る床用吸込具用回転ブラシ体は、回転ローターに挿入支持される清掃体及び前記回転ローターに固定され前記清掃体の両端を前記ローターに固定する一対の端板を備え、前記回転ローターは、横長の芯部と、該芯部の外周より等間隔で放射状に延在する複数の支持基台と、該支持基台のそれぞれの先端に設けられ、前記清掃体を支持する複数条の清掃体支持部を有する清掃体支持台と、を備えたものである。
【発明の効果】
【００１０】
この発明に係る床用吸込具用回転ブラシ体は、回転ローターに挿入支持される清掃体及び前記回転ローターに固定され前記清掃体の両端を前記ローターに固定する一対の端板を備え、前記回転ローターは、横長の芯部と、該芯部の外周より等間隔で放射状に延在する複数の支持基台と、該支持基台のそれぞれの先端に設けられ、前記清掃体を支持する複数条の清掃体支持部を有する清掃体支持台と、を備えたもので、床面を清掃するときの清掃効率が向上すると共に、床面毎に清掃体を取替える必要がないようすることができる。
【発明を実施するための最良の形態】
【００１１】
実施の形態１．
図１は実施の形態１を示す床用吸込具用回転ブラシ体の正面図、図２は回転ブラシ体の回転ローターの正面図、図３は図２の断面、図４は回転ブラシ体の清掃体の斜視図、図５は清掃体の断面図、図６は回転ブラシ体の断面図、図７は回転ローターと端板の構成図、図８は床用吸込具の分解斜視図、図９は床用吸込具の断面図、図１０，図１１は動作説明図である。
【００１２】
図１において、回転ブラシ体１は、回転ローター２と回転ローター２に挿入支持される太毛清掃体３ａ、細毛清掃体３ｂからなる清掃体３と、回転ローター２に固定され清掃体３の両端を回転ローター２に固定する一対の端板４、端板４に固定された回転軸６を回転自在に支持する軸受５と、一対の端板４の一方の回転軸６に固定された減速ギア６１とを備えている。
【００１３】
図２，図３において回転ローター２は、横長の芯部７と、この芯部７の外周より断面が十字状に形成された支持基台８と、この支持基台８のそれぞれの先端に中央の境界壁９とこの境界壁９から分岐して両側に設けられた分岐壁１０からなる断面略Ｗ字状の清掃体支持台１１が設けられている。また、支持基台８は、薄板状に形成され、回転ローター２は、その略全長に渡り螺旋状に振り加工したものである。また、回転ローター２の支持基台８の両端部は端板４を挿入して取り付ける際、挿入固定がし易いように所定幅Ａを直線状に形成している。
【００１４】
この清掃体支持台１１の境界壁９と分岐壁１０の先端部に後述の清掃体３の基布１６が挿入され基布１６を支持する清掃体支持部である溝９ａ，１０ａがそれぞれ対向して設けられている。また、隣接する分岐壁１０の間には清掃体支持台１１の全長に渡って芯部７まで形成された後述の所定の幅の空間溝１２が形成され、溝９ａ、１０ａに清掃体３を挿入したときに、基布１６と分岐壁１０の間に後述の所定の隙間１３を有するように形成されている。また、清掃体支持台１１の境界壁９の先端の外周面に後述する用途のためにガイド溝１４を形成している。
【００１５】
清掃体３は図４，図５に示すように、植毛したブラシ１５と基布１６から構成される。図５に示すようにブラシ１５ａの根元は基布１６を貫通してＵ字状に植毛されている。また、図６に示すように、太毛清掃体３ａはブラシ１５ａは絨毯等に使用される太毛を用いたものであり、細毛清掃体３ｂはフローリング等に使用される細毛を用いたブラシ１５ｂと基布１６から構成されている。
図７において図７（ａ）は端板を回転ローター２に取り付けた状態を示し、図７（ｂ）は端板の構成を示す。図において、端板４は回転ローター２に固定するための支持基台挿入溝４ｂを有する十文字接続部４ａが設けられている。なお、十文字接続部４ａの軸方向長さは支持基台８の両端部の直線部の所定幅Ａ以下としている。
【００１６】
次に、回転ブラシ体１の組み立てを図１、図５〜７により説明する。
回転ローター２の複数の清掃体支持台１１の一つの清掃体支持台１１の対向して設けられた支持溝９ａ、１０ａに太毛清掃体３ａの基布１６を挿入する。次に、境界壁９を隔てて隣接する支持溝９ａ、１０ａに細毛清掃体３ｂの基布１６を挿入する。
同様に、他の清掃体支持台１１の対向して設けられた支持溝９ａ、１０ａに太毛清掃体３ａと細毛清掃体３ｂを交互に挿入する。
【００１７】
次に、図１、図７に示すように回転ローター２の支持基台８にの両端に回転軸６が固定された端板４の十文字接続部４ａの支持基台挿入溝４ｂを圧入、または、接着により固定し、太毛清掃体３ａと細毛清掃体３ｂを清掃体支持台１１に固定する。
そして、一方の回転軸６には軸受５を取り付け、他方には減速ギア６１と軸受５を取り付ける。
【００１８】
次に、回転ブラシ１の床用吸込具への組み込みを図８、９により説明する（図８は上ケースを外した状態を示す）。まず、床用吸込具の下ケース２１に取り付けられた電動機２５の５回転軸に取付けられている駆動ベルト２６に回転ブラシ体１の減速ギア６１を掛け、下ケース２１の吸込開口部２２に、回転ブラシ体１を入れ、軸受５を下ケース２１内に設けられた軸受取付部（図示せず）にはめこみ固定する。
【００１９】
なお、下ケース２１には吸引パイプ２５に連通する吸引通路２３、吸引パイプ２５の回転軸２７が回動自在に支持される  回転軸受２４、前輪３１が設けられている。また、  回転軸２７は上ケース３５の回転軸受（図示せず）と下ケース２１の  回転軸受２４に挟持されている。
吸引パイプ２５には電動機制御基板２８，電気的接続ピン２９が設けられ、吸引パイプカバー３０で電動機制御基板２８等が覆われている。
【００２０】
次に、回転ブラシ体１が装着された床用吸込具の動作、及び、メインテナンスを図９〜１１により説明する。床用吸込具を前方に移動させると、回転ブラシ体１が回転し、回転ブラシ体１の太毛清掃体３ａ、細毛清掃体３ｂが床に接触し床の塵を跳ね上げ、塵は吸引通路２３、吸引パイプ２５を経て掃除機本体（図示せず）に吸引される。
太毛清掃体３ａは、絨毯等の掃除に適し、細毛清掃体３ｂはフローリング等の掃除に適しているので床が絨毯からフローリングに変わっても回転ブラシ体１の種類（清掃体３）を代えなくともよい。         
【００２１】
清掃床面には、比較的長い髪の毛や糸等が塵挨に混じり堆積している場合が多く、これらを清掃するのに回転ブラシ体１は回転して清掃床面より除去するが、この時、髪の毛や糸等は清掃体３のブラシ１５により回転ブラシ体１に巻きつくことが生じる。
この場合は、図１０に示すようにカッターナイフ３６等の刃先を清掃体支持台１１の境界壁９の先端の外周面に設けたガイド溝１４に沿って移動させることで、カッターナイフ３６が左右にぶれることなく確実に髪の毛３７等を切断する。
【００２２】
また、図１１に示すように、各清掃支持部１１の隣接する分岐壁１０間に形成された空間溝１２の深部７近くまでハサミ３８の先端をを入れ、分岐壁１０にハサミ３８を沿わせながら移動して髪の毛や糸等を切断する。なお、空間溝１２は、ハサミ３８の先端が入る幅に形成している。
【００２３】
また、清掃体支持台１１は所定の角度で捩られており、太毛清掃体３ａ、細毛清掃体３ｂが清掃体支持台１１の全長に渡り取付けられているので、回転ブラシ体１が一回転すると清掃床面上の塵挨は床用吸込具の吸引通路２３に移動していき、掃除機本体に吸引される。        
【００２４】
以上のように、回転ローター２は、横長の芯部７と、芯部７の外周より等間隔で放射状に延在する複数の支持基台８と、支持基台８のそれぞれの先端に設けられ、清掃体３を支持する溝９ａ，１０ａ有する複数条の清掃体支持台１１とを備えたので、床面を回転滑掃する清掃体３は回転ブラシ体が１回転する毎に繰返し床面に接触して、床面を清掃するので清掃効率が向上する。
【００２５】
また、清掃体３は、ぞれ専用の太毛清掃体３ａ、細毛清掃体３ｂ、すなわち、ブラシの材質、太さ，長さ、硬さ等を変えたものを設けることで、各種床面例えばフローリング、畳、絨毯、タイル等に対応できる。当然、各種異なった清掃体を設けることで、床面毎に清掃体３を取替える面倒もなくなり、万能の回転ブラシ体１とすることができる。
【００２６】
また、清掃体支持台１１は略Ｕ字状、または、Ｙ字形状に形成して、清掃体支持台１１の挿入溝９ａ，９ｂに太毛清掃体３ａ，細毛清掃体３ｂが挿入されたとき、分岐壁１０と太毛清掃体３ａ，細毛清掃体３ｂとの間に隙間１３を設けたので、ブラシ１５のＵ字状折り返し部が分岐壁１０に接触することなくスムースに挿入されると共にブラシ１５の折り返し部が磨耗したりしてブラシ１５の抜けを防止できる。
【００２７】
また、清掃体支持台１１の断面形状は、中央の境界壁９と両側の分岐壁１０を有する略Ｗ字状に形成され、境界壁９と隣接する分岐壁１０の開放端部に各々対向して設けられ、清掃体３が挿入支持される一対の挿入溝９ａ，１０ａを備えたので、中央に有する境界壁９が左右に配設された清掃体３のブラシ１５の根元部を支持するために、ブラシ１５の異常屈曲を防止すると共に、隣接されたブラシ１５の絡み付き等を防止することが可能となる。
【００２８】
また、清掃体支持台の境界壁９の先端部外周面にガイド溝１４を形成したので、ブラシ１５に巻回された髪の毛等を除去するのにカッターナイフ等の刃先をガイド溝１４に沿って移動させ、カッターナイフが左右にぶれることなく確実に髪の毛等を切断できる。特にブラシ間が狭い時にはカッターナイフの使用が有効である。
【００２９】
また、各清掃体支持台１１の間に、清掃体支持台１１の全長に渡って空間溝１２を形成したので、回転ブラシ体１に巻きついた髪の毛や糸等を、ハサミで切断するときに、ハサミの先端が空間溝１２に比較的深く入りこむと共に、各分岐壁１０がハサミの左右を案内する為、切断の際ハサミの先端が左右に移動することなく、例えば、ブラシ１５等を切断することなく安定して使用できる。
【００３０】
また、複数条形成された清掃体支持部９ａ、１０ａ、に清掃体３を清掃体支持部９ａ，１０ａの全長に渡り取付けると共に、所定の角度で捩ることで、回転ブラシ体１が一回転すると清掃床面上の塵挨を床用吸込具の吸引通路に移動させることができる。
【００３１】
また、支持基台８を薄板状に形成したので、回転ローター２をその全長に渡り所定角度で捩る際、容易に捩ることが可能である。
また、回転ローター２の両端部は所定幅Ａを直線状に形成したので、回転ロター２の両端に端板４を取り付ける際、端板４の挿入固定が容易である。
また、 ブラシ１５の根元は基布１６を貫通してＵ字状に植毛されているので、ブラシの折り返し部が磨耗したりしてブラシの抜けを防止できる。
【００３２】
なお、本実施の形態では、清掃体に太毛清掃体３ａ、細毛清掃体３ｂの２種類を示したが、各清掃体支持台１１にそれぞれ床に応じた専用の清掃体３、すなわちブラシの毛材質、太さ，長さ、硬さ等を変えたものを２種類以上設けることで、各種床面、例えば、フローリング、畳、絨毯、タイル等に対応できる。当然、各種異なった清掃体を設けることで、床面毎に清掃体を取替える面倒もなくなる、すなわち万能回転ブラシ体を提供できる。
また、本実施の形態では支持基台８を十字状に形成したものおを示したが、図１２に示すように、芯部７からＹ字形状に３方向に延在したものとしてもよい。
また、本実施の形態では、清掃体支持台をＹ字形状のものを示したが、支持基台８にＵ字形状の清掃体支持台を複数設けたものでもよい。
【００３３】
実施の形態２．
図１３は実施の形態２を示す床用吸込具用回転ブラシ体の回転ローターの要部斜視図、図１４は回転ブラシ体の清掃体の部分斜視図、図１５は回転ブラシ体の断面図である。
【００３４】
図１３は実施の形態１の図３で示した清掃体支持台１１部を清掃体支持台４６に代えたものであり、他は同じなので説明を省略する。清掃体支持台４６は、支持基台８のそれぞれの先端から分岐したＵ字状の分岐壁４１と、中央部の突部４２からなり、分岐壁４１の先端部に後述の清掃体４５の基布４４が挿入され基布４４を支持する清掃体支持部である溝４１ａがそれぞれ対向して設けられている。
また、分岐壁４１の溝４１ａと突部４２の先端の下方は溝４１ａに清掃体４５の基布４４を挿入したときに、基布４４と分岐壁４１の間に後述の所定の隙間４７を有するように形成されている。
【００３５】
清掃体４５は図１４，図１５に示すように、絨毯等に使用される太毛ブラシ４３ａとフローリング等に使用される細毛ブラシ４３ｂと基布４４からなるブラシ４３と基布４４から構成され、太毛ブラシ４３ａと細毛ブラシ４３ｂの根元は基布４４を貫通してＵ字状に植毛されている。なお、基布４４と分岐壁４１の隙間４７は、太毛ブラシ４３ａと細毛ブラシ４３ｂの根元がＵ字状に植毛されている部分が接触しないような間隔としている。
【００３６】
このような構成により、一つの清掃体支持台４６に、２種類の太毛ブラシ４３ａと細毛ブラシ４３ｂを有する清掃体４５を支持することができ、清掃体支持台４６の形状を簡単にでき、清掃体４５の個数を少なくすることができる。
また、基布４４と分岐壁４１の間に隙間４７を有し、ブラシ４３の根元がＵ字状に植毛されているので、ブラシ４３のＵ字状折り返し部が分岐壁４１に接触することなくスムースに挿入されると共にブラシ４３の折り返し部が磨耗したりしてブラシの抜けを防止できる。
なお、本実施の形態では、２種類の太毛ブラシ４３ａと細毛ブラシ４３ｂを有する清掃体４５を示したが、清掃体４５の種類を複数種類とし、ブラシ４３の種類を２種類以上としてもよく、ブラシ４３を２種類以上（２列以上）としてもよく、実施の形態１のようにブラシ４３の毛の材質、長さ等を変えたものとしてもよい。
【００３７】
実施の形態３．
図１６は実施の形態３を示す床用吸込具用回転ブラシ体の端板の斜視図、図１７は回転ブラシ体の回転ローターの要部斜視図、図１８は回転ローターと端板の組立部の断面図である。
【００３８】
図１６において、端板５１は、端板本体５５と、この端板本体５５に立設され、二つの溝が直交する十字形状溝５６を有する十字形状接続部５７と、回転軸６が圧入される軸穴（図示せず）設けられ、十字形状接続部５７は、断面Ｌ字形状で曲げ部長さ（Ｌ１）の長い一対の第１の接続片５２と、曲げ部長さ（Ｌ２）の短い一対の第２の接続片５３からなり、第１、第２の接続片５２，５３を曲げ部の稜線部を各々端板本体５５の中心に向けて交互に配設することにより各第１、第２の接続片５２，５３の外側面で十字形状溝５６を形成し、さらに、第１の接続片５２の先端の、十字形状溝５６の直交する二つの溝の内、一方の溝側に各々係合爪５２ａを設けている。
なお、第１の接続片５２の軸方向長さは支持基台８の両端部の直線部の所定幅Ａ以下としている。
【００３９】
図１７において、回転ローター２の支持基台８には、端板５１の十字形状接続部５７の第１の接続片５２の係合爪５２ａが係合する係合穴８ａと連通穴８ｂが複数設けられている。また、清掃体支持台１１には、ブラシ１５ａと基布１６から構成された太毛清掃体３ａと、ブラシ１５ｂと基布１６から構成された清掃体３ｂが挿入支持されている。
【００４０】
太毛清掃体３ａ、細毛清掃体３ｂを清掃体支持台１１に挿入後、図１８に示すように、回転ローター２の両端の支持基台８に端板５１の十字形状接続部５７の十字形状溝５６を挿入し、支持基台８の係合穴８ａに、十字形状接続部５７の第１の接続片５２の係合爪５２ａを各々係合させて固定し、太毛清掃体３ａ、細毛清掃体３ｂ（図示せず）を支持基台８に固定する。
【００４１】
以上のように、端板５１の十字形状接続部５７の第１の接続片５２に係合爪５２ａを設け、支持基台８の係合穴８ａに係合させて固定したので、太毛清掃体３ａ、細毛清掃体３ｂを支持基台８に接着や圧入をしなくとも確実に固定することができ、取り外しが簡単にできる。
【００４２】
なお、本実施の形態では、支持基台８が十字形状の場合を示したが、Ｙ字形状のときは、Ｙ字形状の溝とし、接続部は、折曲げられた条片の長さの長い一対の第１の接続片と、長さの短い一つの第２の接続片とを備え、第１の接続片の先端の溝側に各々係合爪を設ければよい。また、支持基台８の連通穴８ｂは、支持基台８間に空気の流れを生じさせるものである。
【図面の簡単な説明】
【００４３】
【図１】この発明の実施の形態１を示す床用吸込具用回転ブラシ体の正面図である。
【図２】この発明の実施の形態１を示す床用吸込具用回転ブラシ体の回転ローターの正面図である。
【図３】図２の断面図である。
【図４】この発明の実施の形態１を示す床用吸込具用回転ブラシ体の清掃体の斜視図である。
【図５】この発明の実施の形態１を示す床用吸込具用回転ブラシ体の清掃体の断面図である。
【図６】この発明の実施の形態１を示す床用吸込具用回転ブラシ体の断面図である。
【図７】この発明の実施の形態１を示す床用吸込具用回転ブラシ体の回転ローターと端板の構成図である。
【図８】この発明の実施の形態１を示す床用吸込具用回転ブラシ体が装着される床用吸込具の分解斜視図である。
【図９】図８の断面図である。
【図１０】この発明の実施の形態１を示す床用吸込具用回転ブラシ体の動作説明図である。
【図１１】この発明の実施の形態１を示す床用吸込具用回転ブラシ体の動作説明図である。
【図１２】この発明の実施の形態１を示す床用吸込具用回転ブラシ体の回転ローターの断面図である。
【図１３】この発明の実施の形態２を示す床用吸込具用回転ブラシ体の回転ローターの要部斜視図である。
【図１４】この発明の実施の形態２を示す床用吸込具用回転ブラシ体の清掃体の部分斜視図である。
【図１５】この発明の実施の形態２を示す床用吸込具用回転ブラシ体の断面図である。
【図１６】この発明の実施の形態３を示す床用吸込具用回転ブラシ体の端板の斜視図である。
【図１７】この発明の実施の形態３を示す床用吸込具用回転ブラシ体の回転ローターの要部斜視図である。
【図１８】この発明の実施の形態３を示す床用吸込具用回転ブラシ体の回転ローターと端板の組立部の断面図である。
【符号の説明】
【００４４】
１  床用吸込具用回転ブラシ体、２  回転ローター、３  清掃体、４  端板、７  芯部、８  支持基台、９ 境界壁,１０  分岐岐壁、１０ａ，１０ｂ  溝、１１  清掃体支持台、１２  空間溝、１３  隙間、１４  ガイド溝、１５  ブラシ、１６  基布、４１ａ、４１ｂ  溝、４３  清掃体、４３あ、４３ｂブラシ、５１  端板、５２  第１の接続片、５２ａ、５２ｂ  係合爪、５３  第２の接続片、５５  端板本体、５６  溝、５７  接続部。
【図１】
2005080888.tif 000003
【図２】
2005080888.tif 000004
【図３】
2005080888.tif 000005
【図４】
2005080888.tif 000006
【図５】
2005080888.tif 000007
【図６】
2005080888.tif 000008
【図７】
2005080888.tif 000009
【図８】
2005080888.tif 000010
【図９】
2005080888.tif 000011
【図１０】
2005080888.tif 000012
【図１１】
2005080888.tif 000013
【図１２】
2005080888.tif 000014
【図１３】
2005080888.tif 000015
【図１４】
2005080888.tif 000016
【図１５】
2005080888.tif 000017
【図１６】
2005080888.tif 000018
【図１７】
2005080888.tif 000019
【図１８】
2005080888.tif 000020